(57)【要約】【課題】室内にて空調機と重量センサと無線を用いて洗濯物の乾燥判定を行う空調装置において、洗濯物と物干し竿の間に重量センサが設置されているタイプのものでは、重量センサが設置されていない洗濯物の乾燥判定を行うことはできなかった。【解決手段】天井から吊るすポール１ａに重量センサ３を内蔵し、重量センサ３には、検知データを外部に送信する送信部４を備えている。一方の空調機７には、重量センサ３からの送信データを受信し、このデータをもとに空調機７の制御を行う制御部９を備えている。このような構成により、一括で洗濯物６ａ〜６ｄ全体の重量を検知できるため、全ての洗濯物の乾燥を確実に行うことができる。【選択図】図１
2016014486.tif 000002
【特許請求の範囲】
【請求項１】
室内に設置される空調機と、
室内の天井に設置するポール装着部と、
吊り輪のついたポールと、
前記ポールに通す物干し竿を有し、
前記空調機には、受信部と、空調動作を制御する制御部とを備え、
前記ポールには、吊り輪にかかる荷重を検出する重量センサと、
前記空調機に送信する送信部を備え、
前記送信部は、前記重量センサで検出した重量データを前記受信部に対して送信し、
前記受信部は、送信された前記重量データを前記制御部に送り、
前記制御部は、送られた前記重量データに基づいて前記空調機の運転を制御する空調装置。
【請求項２】
前記重量センサは、
前記ポール内部に設置された重量センサ素子部と、
引っ張り荷重を押し込み荷重に変換する変換機構部よりなることを特徴とする請求項１記載の空調装置。
【発明の詳細な説明】
【技術分野】
【０００１】
本発明は、室内の空調機と重量センサと無線を使用して衣類等の洗濯物の乾燥判定を行う空調装置に関するものである。
【背景技術】
【０００２】
従来、この種の空調装置は、洗濯物付近に重量センサを配置されたものが知られている（例えば、特許文献１参照）。
【０００３】
以下、その空調装置について図３および図４を参照しながら説明する。
【０００４】
図３に示すように、空気調和装置の使用状態を示した全体図は室内機１０１と洗濯物１０５と遠隔装置１１０とフック１１０ａとフック１１０ｂと物干し竿１１１と重量センサ１１７からなり、室内機１０１は図４に示すように受信部１１９と制御部１２０を備えることにより遠隔装置１１０の検出結果データを受信して動作する。
【０００５】
また、遠隔装置１１０は図３に示すように温度センサ１１５と湿度センサ１１６と重量センサ１１７と送信部１１８を備えることによりそれぞれの検出結果データを室内機に送信している。
【先行技術文献】
【特許文献】
【０００６】
【特許文献１】特開２００３−２１４６８７号公報
【発明の概要】
【発明が解決しようとする課題】
【０００７】
このような従来の空調装置においては、物干し竿と洗濯物の間に重量センサを内蔵する構成となっていたので、空調機は重量センサが接続された洗濯物の重量のみで空調を制御する。
【０００８】
したがって、重量センサがついていない洗濯物が干されると、その洗濯物の乾燥判定ができない、という課題があった。
【０００９】
本発明は上記従来の課題を解決するものであり、重量センサを物干しポールに内蔵し一括で洗濯物の重量を検知することにより、全ての洗濯物を確実に乾燥させることができる空調装置を提供することを目的とする。
【課題を解決するための手段】
【００１０】
この目的を達成するために、本発明は、
室内に設置される空調機と、
室内の天井に設置するポール装着部と、
吊り輪のついたポールと、
前記ポールに通す物干し竿を有し、
前記空調機には、受信部と、空調動作を制御する制御部とを備え、
前記ポールには、吊り輪にかかる荷重を検出する重量センサと、
前記空調機に送信する送信部を備え、
前記送信部は、前記重量センサで検出した重量データを前記受信部に対して送信し、
前記受信部は、送信された前記重量データを前記制御部に送り、
前記制御部は、送られた前記重量データに基づいて前記空調機の運転を制御する構成となっていることを特徴としたものであり、これにより目的を達成するものである。
【発明の効果】
【００１１】
本発明によれば、室内に設置される空調機と、室内の天井に設置するポール装着部と、吊り輪のついたポールと、
前記ポールに通す物干し竿を有し、前記空調機には、受信部と、空調動作を制御する制御部とを備え、前記ポールには、吊り輪にかかる荷重を検出する重量センサと、前記空調機に送信する送信部を備え、前記送信部は、前記重量センサで検出した重量データを前記受信部に対して送信し、前記受信部は、送信された前記重量データを前記制御部に送り、前記制御部は、送られた前記重量データに基づいて前記空調機の運転を制御する構成にしたことにより、全ての洗濯物の重量変化を検知することができるので、全ての洗濯物を確実に乾燥できるという効果を得ることができる。
【図面の簡単な説明】
【００１２】
【図１】本発明の実施の形態１の空調装置の使用状態を示す全体図
【図２】本発明の実施の形態１の重量センサの構造図
【図３】従来の空気調和装置の使用状態を示す全体図
【図４】同空調装置のブロック図
【発明を実施するための形態】
【００１３】
本発明の請求項１記載の空調装置は、室内に設置される空調機と、室内の天井に設置するポール装着部と、吊り輪のついたポールと、前記ポールに通す物干し竿を有し、前記空調機には、受信部と、空調動作を制御する制御部とを備え、前記ポールには、吊り輪にかかる荷重を検出する重量センサと、前記空調機に送信する送信部を備え、前記送信部は、前記重量センサで検出した重量データを前記受信部に対して送信し、前記受信部は、送信された前記重量データを前記制御部に送り、前記制御部は、送られた前記重量データに基づいて前記空調機の運転を制御する構成を有する。
【００１４】
これにより、全ての洗濯物の重量を検知することが可能となるので、全ての洗濯物を確実に乾燥できるという効果を奏する。
【００１５】
以下、本発明の実施の形態について図面を参照しながら説明する。
【００１６】
（実施の形態１）
図１は本実施形態の使用状態を示した全体図である。
【００１７】
図１に示すように、天井には吊り輪のついたポール１ａと１ｂをそれぞれ装着するためのポール装着部２ａ、２ｂが設置されている。
【００１８】
また、ポール１ａには、重量センサ３と送信部４が内蔵され、ポール１ａと１ｂの間には物干し竿５が通されていて、その物干し竿５には洗濯物６ａ〜６ｄが干されている。
【００１９】
なお、洗濯物６ａ〜６ｄを乾燥させるための空調機７には、送信部４から発信される重量データを受信するための受信部８が搭載される構成とする。
【００２０】
なお、洗濯物６ａ〜６ｄの数量は任意の数とする。
【００２１】
図２は、本実施の形態の重量センサ３の構造図である。
【００２２】
重量センサの素子部はひずみゲージと言われるもので、押す力による金属の縮みは抵抗値の変化として現れるが、その抵抗値の変化を利用して重量を検知する素子である。
【００２３】
ひずみゲージは押す力により重量を検知するが、ポール１ａの中間部に設置された重量センサ３にかかる力は常に引く力であるため、重量センサにひずみゲージを利用するためには引く力を押す力に変換する機構が必要となる。
【００２４】
そこで、図２に示すように、たとえば重量センサ３の構造をポール１ａの上下で引っ張るコの字型の金具でひずみゲージを挟み込む構造とすれば、引く力を押す力に変換して重量検知を行うことができる。
【００２５】
なお、図２の構造は一例であり、重量センサ３の内部のひずみゲージが洗濯物の重量を検知できる構造であれば、どのような構造でもかまわない。
【００２６】
つぎに、重量センサ３で検知した重量信号を空調機７に送信する方法について示す。
【００２７】
ポール１ａに備えられた重量センサ３は、一定周期ごとに重量検知を行う。
【００２８】
重量センサ３で検知したデータは、ポール１ａにかかる洗濯物６ａ〜６ｄの全ての重量に相関する値となる。
【００２９】
送信部４は重量センサ３で検知した重量データを空調機７に搭載された受信部８へ送信する。
【００３０】
空調機７には洗濯物を乾燥させるための空調制御を行う制御部９が設けられている。  制御部９では、時間変化と共に重量センサ３で検知された重量データの変化量を確認し、空調空気を送風制御する。
【００３１】
洗濯物は乾燥が進むに従い水分が蒸発していくので、徐々にその重量は軽くなる。
【００３２】
そして、水分が完全に蒸発した時点で水分の蒸発がなくなるため、その後は乾燥運転を続けても洗濯物の重量は変化しない。
【００３３】
この乾燥後に重量が変化しないことを利用して、洗濯物が乾燥したかどうかを判断する。
【００３４】
すなわち、受信部８で受信したデータの前回値と今回値の比較を制御部９で行い、その差分が予め定められた閾値以下となった場合、洗濯物６ａ〜６ｄ全てが乾燥したと判断し、制御部９は空調機７の運転を停止するようにする。
【００３５】
これにより、全ての洗濯物を確実に乾燥させることができ、かつ、余剰な送風制御を防止することもできる。
【００３６】
また、本発明では、ポール１ａの中間部に重量センサを配置する構成としているが、吊り輪とポールの接続部や、天井のポールを支えている部分に配置する構成としてもその効果に差異を生じない。
【００３７】
また、本発明では、ポール１ａのみに重量センサを配置する構成としているが、ポール１ｂにも重量センサを配置し、２つの重量センサを使用することで、より精度の高い洗濯物の重量検知を行うことが可能となる。
【産業上の利用可能性】
【００３８】
本発明にかかる空調装置は、室内で使用される一般家電機器における衣類等の乾燥制御として有用である。
【符号の説明】
【００３９】
１ａ  ポール
１ｂ  ポール
２ａ  ポール装着部
２ｂ  ポール装着部
３    重量センサ
４    送信部
５    物干し竿
６ａ  洗濯物
６ｂ  洗濯物
６ｃ  洗濯物
６ｄ  洗濯物
７    空調機
８    受信部
９    制御部
【図１】
2016014486.tif 000003
【図２】
2016014486.tif 000004
【図３】
2016014486.tif 000005
【図４】
2016014486.tif 000006